(57)【要約】【課題】組立性が向上されたバックライト組立体及びこれを有する液晶表示装置を提供する。【解決手段】バックライト組立体は底部及び側部で構成され収納空間を備える収納容器、収納容器の両側にそれぞれ収納される第１モールド、第１モールドに摺動締結され金属からなる電力印加部材、及び電力印加部材に互いに平行に固定され電力印加部材を通じて印加される駆動電圧に反応して光を発生するランプを含む。第１モールドはランプの長さの方向に沿って摺動される電力印加部材を固定する結合部及び結合部から延設されて収納容器の側部に対応される側壁を含む。従って、ランプを固定する電力印加部材を摺動方式で第１モールドに結合することで、組立性を向上させ、製造コストを節減することができる。【選択図】図４
2006066357.tif 000002
【特許請求の範囲】
【請求項１】
底部及び側部からなり収納空間を備える収納容器と、
前記収納容器の両側にそれぞれ収納される第１モールドと、
前記第１モールドに摺動締結され、金属からなる電力印加部材と、
前記電力印加部材に互いに平行に固定され、前記電力印加部材を通じて印加される駆動電圧に反応して光を発生するランプと、
を含むバックライト組立体。
【請求項２】
前記ランプそれぞれは前記電力印加部材に固定される末端部の外面に形成される外部電極を含むことを特徴とする請求項１記載のバックライト組立体。
【請求項３】
前記電力印加部材は、
前記外部電極が形成された前記ランプの末端部をそれぞれ固定するクリップ部と、
前記ランプの長さの方向に直交する方向に延設されて前記クリップ部を互いに連結する第１連結部と、
前記クリップ部を間に置いて前記第１連結部と並んで形成される第２連結部と、を含むことを特徴とする請求項２記載のバックライト組立体。
【請求項４】
前記第１連結部は、
前記ランプの長さ方向への移動を防止するために前記クリップ部に対応して突き出た突出部をさらに含むことを特徴とする請求項３記載のバックライト組立体。
【請求項５】
前記第１モールドは、
前記ランプの長さ方向に沿って摺動される前記電力印加部材を固定する結合部と、
前記結合部から延設されて前記収納容器の側部に対応して形成される側壁と、を含むことを特徴とする請求項４記載のバックライト組立体。
【請求項６】
前記結合部は、
前記側壁の下端から延設されて前記電力印加部材を支持する第１結合面と、
前記側壁から延設されて前記第１連結部の上部をカバーする第２結合面と、を含むことを特徴とする請求項５記載のバックライト組立体。
【請求項７】
前記第２結合面には、
前記突出部が挿入されることができるように前記突出部に対応して開口される第１開口部が形成されることを特徴とする請求項６記載のバックライト組立体。
【請求項８】
前記第２結合面は、
前記第１結合面方向に突き出て前記第１連結部を固定する固定部をさらに含むことを特徴とする請求項７記載のバックライト組立体。
【請求項９】
前記結合部は、
前記第１結合面から延設されて前記第２連結部の上部をカバーする第３結合面をさらに含むことを特徴とする請求項６記載のバックライト組立体。
【請求項１０】
前記第３結合面には、
前記クリップ部を受け入れることができるように前記クリップ部に対応して開口される第２開口部が形成されることを特徴とする請求項９記載のバックライト組立体。
【請求項１１】
前記第３結合面は、
前記第２連結部の固定のために前記第１結合面方向に突き出る突起をさらに含むことを特徴とする請求項１０記載のバックライト組立体。
【請求項１２】
前記第２連結部には、
前記突起との結合のためのホールが形成されることを特徴とする請求項１１記載のバックライト組立体。
【請求項１３】
前記ランプの末端部をカバーし前記第１モールドと結合される第２モールドをさらに含むことを特徴とする請求項１記載のバックライト組立体。
【請求項１４】
前記第２モールドによって支持され、前記ランプの上部に配置される拡散板と、
前記拡散板の上部に配置される光学シートと、
前記ランプの下部に配置される反射板と、
前記収納容器の背面に配置され、前記ランプの駆動のための駆動電圧を発生するインバータをさらに含むことを特徴とする請求項１３記載のバックライト組立体。
【請求項１５】
前記第２モールドは、上部方向に突き出て前記拡散板を固定する拡散板固定部を含むことを特徴とする請求項１４記載のバックライト組立体。
【請求項１６】
前記拡散板には、前記拡散板固定部と結合される固定溝が形成されることを特徴とする請求項１５記載のバックライト組立体。
【請求項１７】
前記第２モールドは、前記拡散板固定部から上部方向に突き出て前記光学シートを固定するシート固定部をさらに含むことを特徴とする請求項１５記載のバックライト組立体。
【請求項１８】
前記光学シートは、前記拡散板を通じて拡散された光を集光するための集光シートを含むことを特徴とする請求項１４記載のバックライト組立体。
【請求項１９】
前記光学シートは前記拡散板を通じて拡散された光を再び拡散させるための拡散シートを含むことを特徴とする請求項１４記載のバックライト組立体。
【請求項２０】
収納容器と、前記収納容器の両側にそれぞれ収納される第１モールドと、前記第１モールドに摺動締結される電力印加部材と、前記電力印加部材に互いに平行に固定され、前記電力印加部材に固定される末端部の外面に形成された外部電極を有するランプとを含むバックライト組立体と、
前記バックライト組立体から供給される光を利用して映像を表示する液晶表示パネルと、
前記液晶表示パネルを前記バックライト組立体に固定するトップシャーシと、
を含むことを特徴とする液晶表示装置。
【請求項２１】
前記電力印加部材は、
前記外部電極が形成された前記ランプの末端部をそれぞれ固定するクリップ部と、
前記ランプの長さ方向に垂直する方向に延設されて前記クリップ部を互いに連結する第１連結部と、
前記クリップ部を間に置いて前記第１連結部と並んで形成される第２連結部と、を含むことを特徴とする請求項２０記載の液晶表示装置。
【請求項２２】
前記第１連結部は、
前記ランプの長さ方向への移動を防止するために前記クリップ部に対応して突き出る突出部をさらに含むことを特徴とする請求項２１記載の液晶表示装置。
【請求項２３】
前記第１モールドは、
前記ランプの長さ方向に沿って摺動される前記電力印加部材を固定する結合部と、
前記結合部から延設されて前記収納容器の側部に対応して形成される側壁と、を含むことを特徴とする請求項２２記載の液晶表示装置。
【請求項２４】
前記結合部は、
前記側壁の下端から延設されて前記電力印加部材を支持する第１結合面と、
前記側壁から延設されて前記第１連結部の上部をカバーする第２結合面と、
前記第１結合面から延設されて前記第２連結部の上部をカバーする第３結合面と、を含むことを特徴とする請求項２３記載の液晶表示装置。
【請求項２５】
前記第２結合面には、
前記突出部が挿入されることができるように前記突出部に対応して開口される第１開口部が形成されることを特徴とする請求項２４記載の液晶表示装置。
【請求項２６】
前記第２結合面は、
前記第１結合面方向に突き出て前記第１連結部を固定する固定部をさらに含むことを特徴とする請求項２５記載の液晶表示装置。
【請求項２７】
前記第３結合面には、
前記クリップ部を受け入れることができるように前記クリップ部に対応して開口される第２開口部が形成されることを特徴とする請求項２５記載の液晶表示装置。
【請求項２８】
前記第３結合面は前記第２連結部の固定のために前記第１結合面方向に突き出る突起をさらに含み、
前記第２連結部には前記突起との結合のためのホールが形成されることを特徴とする請求項２７記載の液晶表示装置。
【請求項２９】
前記バックライト組立体は、
前記ランプの末端部をカバーし前記第１モールドと結合される第２モールドと、
前記第２モールドによって支持され、前記ランプの上部に配置される拡散板と、をさらに含むことを特徴とする請求項２０記載の液晶表示装置。
【発明の詳細な説明】
【技術分野】
【０００１】
本発明はバックライト組立体及びこれを有する液晶表示装置に関し、より詳細には映像を表示するために別途の光を供給するためのバックライト組立体及びこれを有する液晶表示装置に関する。
【背景技術】
【０００２】
一般的に、液晶表示装置は液晶を利用して映像を表示する平板表示装置の一つとして、他の表示装置に比べて薄くて軽く、低駆動電圧及び低消費電力であるという長所があって、産業全般にわたって幅広く使われている。
このような液晶表示装置は、映像を表示するための液晶表示パネルが、自ら発光することができない非発光素子なので、別途に光を供給するためのバックライト組立体を必要とする。
【０００３】
最近、液晶表示パネルのサイズが大型化されるにつれて、バックライト組立体のサイズも大型化している。その結果、バックライト組立体は、液晶表示パネルの後面に互いに平行に配置されて、液晶表示パネルに直接光を提供するランプを有する、直下型バックライト組立体が広く使用されている。
このような直下型バックライト組立体は高輝度及び輝度均一性を確保するために、数多くのランプを必要とするようになる。従って、最近では製造コスト削減及び駆動安全性向上のために、一つのインバータで複数のランプを並列駆動させることができる、外部電極型ランプが開発されたところである。外部電極型ランプは、両端部の外面に外部電極が形成された構造を有するので、並列駆動をするためにはランプの外部電極を並列で連結するための電力印加部材を必要とする。
【０００４】
しかし、従来は電力印加部材をモールド構造物に固定するために、ねじ締結または熱溶着などの別途工程を実施していたが、これらの手法による不安定な固定では、電力印加部材が揺れたりモールド構造物から離脱したりするという問題が発生する。また、ねじ締結または熱溶着などの別途工程により、製造コストが上昇するという問題が発生する。
【発明の開示】
【発明が解決しようとする課題】
【０００５】
従って、本発明はこのような問題点を勘案したもので、本発明の目的はランプを固定する電力印加部材の組立性を向上させ、製造コストを節減することができるバックライト組立体を提供することにある。
また、本発明の他の目的は、前記したバックライト組立体を有する液晶表示装置を提供することにある
【課題を解決するための手段】
【０００６】
上述した本発明の目的を達成するためのバックライト組立体は、収納容器、第１モールド、電力印加部材及びランプを含む。前記収納容器は、底部及び側部で構成され収納空間を備える。前記第１モールドは、前記収納容器の両側にそれぞれ収納される。前記電力印加部材は、前記第１モールドに摺動締結され、金属からなる。前記ランプは前記電力印加部材にそれぞれが互いに平行に固定され、前記電力印加部材を通じて印加される駆動電圧に反応して光を発生する。
前記電力印加部材は、前記ランプの末端部をそれぞれ固定するクリップ部、前記ランプの長さ方向に垂直する方向に延設されて前記クリップ部を互いに連結する第１連結部及び前記クリップ部を間に置いて前記第１連結部と並んで形成される第２連結部を含む。
【０００７】
前記第１モールドは、前記ランプの長さ方向に沿って摺動される前記電力印加部材を固定する結合部及び前記結合部から延設されて前記収納容器の側部に対応して形成される側壁を含む。前記結合部は、前記側壁の下端から延設されて前記電力印加部材を支持する第１結合面及び前記側壁から延設されて前記第１連結部の上部をカバーする第２結合面を含む。前記第２結合面は、前記第１結合面方向に突き出て前記第１連結部を固定する固定部をさらに含む。前記結合部は、前記第１結合面から延設されて前記第２連結部の上部をカバーする第３結合面をさらに含む。前記第３結合面は、前記第２連結部の固定のために前記第１結合面方向に突き出る突起をさらに含む。
【０００８】
本発明の他の目的を達成するための液晶表示装置は、バックライト組立体、液晶表示パネル及びトップシャーシを含む。前記バックライト組立体は、収納容器、前記収納容器の両側にそれぞれ収納される第１モールド、前記第１モールドに摺動締結される電力印加部材、及び前記電力印加部材に互いに平行に固定され、前記電力印加部材に固定される末端部の外面に形成された外部電極を有するランプを含む。前記液晶表示パネルは、前記バックライト組立体から供給される光を利用して映像を表示する。前記トップシャーシは、前記液晶表示パネルを前記バックライト組立体に固定する。
【０００９】
このようなバックライト組立体及びこれを有する液晶表示装置によると、ランプを固定する電力印加部材を摺動方式で第１モールドに結合することで、組立性を向上させ、製造コストを節減することができる。
【発明の効果】
【００１０】
このようなバックライト組立体及びこれを有する液晶表示装置によると、ランプを固定するための電力印加部材を摺動方式で第１モールドに結合することで、簡単で且つ安定的に電力印加部材を組立てることができる。また、ねじ締結または熱溶着などの追加工程が不要となり、製造コストを節減することができる。
【発明を実施するための最良の形態】
【００１１】
以下、図面を参照して本発明の望ましい一実施形態をより詳細に説明する。
図１は本発明の一実施形態によるバックライト組立体を示す分解斜視図である。
図１に示すように、本発明の一実施形態によるバックライト組立体１００は、収納容器２００、第１モールド３００、電力印加部材４００及びランプ５００を含む。
収納容器２００は底部２１０及び底部２１０の端から延設されて収納空間を形成する側部２２０で構成される。側部２２０は一例で、他の構成要素との結合用空間を提供して結合力を向上させるためにコの字形状を有する。収納容器２００は、強度が高く変形が少ない金属材料からなる。
【００１２】
第１モールド３００は、収納容器２００の両側にそれぞれ向かい合って収納される。第１モールド３００は電力印加部材４００を固定するための結合部３１０及びこの結合部３１０に直交する方向に延設される側壁３２０とで構成される。結合部３１０は収納容器２００の底部２１０に対応して形成され、側壁３２０は収納容器２００の側部３２０に対応して形成されている。第１モールド３００は金属からなる収納容器２００と金属からなる電力印加部材４００との間の絶縁のために絶縁物質からなる。
【００１３】
電力印加部材４００は、収納容器２００の両側に配置された第１モールド３００のそれぞれに固定される。電力印加部材４００は、一旦第１モールド３００の結合部３１０上に配置され、更にランプ５００の長さ方向に沿って移動させることによって、第１モールド３００の結合部３１０に締結される。電力印加部材４００はランプ５００を固定するためのクリップ部４１０を有する。電力印加部材４００は、外部のインバータ（図示せず）から提供される駆動電圧をランプ５００に印加するために金属からなる。
各ランプ５００は、電力印加部材４００のクリップ部４１０にそれぞれ固定されて互いに平行に配置される。ランプ５００それぞれは、電力印加部材４００に固定される末端部の外面に形成される外部電極５１０を有する。ランプ５００は、外部のインバータ（図示せず）で発生して電力印加部材４００を通じて外部電極５１０に印加される駆動電圧に反応して光を発生する。
【００１４】
図２は図１に図示された電力印加部材を具体的に示す斜視図である。
図１及び図２に示すように、電力印加部材４００はクリップ部４１０、第１連結部４２０及び第２連結部４３０を含む。クリップ部４１０は外部電極５１０が形成されたランプ５００の末端部をそれぞれ受け入れて固定する。クリップ部４１０はランプ５００の等間隔配置のために等しい間隔で離隔されて配置される。第１連結部４２０は、ランプ５００の長さ方向に直交する方向に延設されて、クリップ部４１０の一端を互いに連結する。第２連結部４３０はクリップ部４１０を間に置いて第１連結部４２０と並んで形成されて、クリップ部４１０の他端を互いに連結する。
【００１５】
第１連結部４２０には、上部方向に突き出る突出部４４０がさらに設けられている。突出部４４０は、クリップ部４１０に対応する位置に形成される。この突出部４４０は、クリップ部４１０に固定されるランプ５００の、その長さの方向への移動を防止する機能を有する。
第２連結部４３０には第１モールド３００の結合部３１０との固定のためのホール４３２が形成されている。
【００１６】
図３は図１に示された第１モールドを具体的に示す斜視図である。
図２及び図３に示すように、第１モールド３００は、ランプ５００の長さの方向に沿って摺動する電力印加部材４００を固定するための結合部３１０と、結合部３１０から延設されて収納容器２００の側部に対応して形成される側壁３２０で構成される。
【００１７】
結合部３１０は、側壁３２０の下端から直角に延設される第１結合面３３０と、側壁３２０の下端より少し高い位置で第１結合面３３０と平行に延設される第２結合面３４０とを含む。結合部３１０は、第１結合面３３０からＬ字形状に突き出て第２結合面３４０と同一の高さに延設される第３結合面３５０をさらに含む。
第１結合面３３０は、電力印加部材４００の摺動締結の際、電力印加部材４００を支持する。第１結合面３３０は、第２結合面３４０及び第３結合面３５０に対応する領域が開口されている。
【００１８】
第２結合面３４０は、電力印加部材４００の摺動締結の際、第１連結部４２０の上部をカバーする。第２結合面３４０には、電力印加部材４００の突出部４４０が挿入されることができるように、突出部４４０に対応して開口する第１開口部３４２が形成される。また、第２結合面３４０は摺動締結された第１連結部４２０が抜けないように固定するための固定部３４４をさらに含む。固定部３４４は、第２結合面３４０の端部から第１結合面３３０の方向に突き出て第１連結部４２０を固定するようになる。
第３結合面３５０は、電力印加部材４００の摺動締結の際、第２連結部４３０の上部をカバーする。第３結合面３５０には、電力印加部材４００が摺動できるように、クリップ部４１０に対応して開口される第２開口部３５２が形成される。一方、第３結合面３５０は摺動締結された第２連結部４３０を固定するために、第２結合面３４０の固定部３４４と同一の形状の固定部（図示せず）をさらに含むことができる。
【００１９】
図４は、図１に図示された第１モールドと電力印加部材との結合関係を示す斜視図で、図５は図４に図示された斜視図の背面を示す平面図で、図６は図４のＩ−Ｉ’線に沿って
切断した断面図である。
【００２０】
図４、図５及び図６に示すように、電力印加部材４００は摺動方式によって第１モールド３００に締結される。即ち、電力印加部材４００は第１連結部４２０の位置が第２結合面３４０と第３結合面３５０との間に置かれるように配置された状態で、第１モールド３００の側壁３２０の方向に摺動されながら、第１モールド３００の結合部３１０に固定される。電力印加部材４００の摺動の際、突出部４４０は第２結合面３４０の第１開口部３４２に挿入され、クリップ部４１０は第３結合面３５０の第２開口部３５２を通じて挿入される。電力印加部材４００の摺動完了の後、電力印加部材４００の下部面は第１結合面３３０によって支持され、第１連結部４２０の上部面は第２結合面３４０によってカバーされ、第２連結部４３０の上部面は第３結合面３５０によってカバーされる。
【００２１】
一方、摺動締結が完了した電力印加部材４００は、第２結合面３３０の固定部３４４によって固定される。固定部３４４は第１結合面３３０方向に突き出ており、第１連結部４２０がランプ５００の長さの方向に移動することを防止する。また、電力印加部材４００は、第３結合面３３０に形成された突起３５４によって固定されることができる。突起３５４は第３結合面３５０から第１結合面３３０方向に突き出て形成される。突起３５４は、第２連結部４３０に形成されたホール４３２と結合して、第２連結部４３０の移動を防止する。また、第２結合面３４０に形成された第１開口部３４２は、電力印加部材４００の突出部４４０の両側を固定し、電力印加部材４００がランプ５００の長さの方向に直交する方向に移動することを防止する。
【００２２】
図７は本発明の他の実施形態によるバックライト組立体を示す分解斜視図であり、図８は図７に示された第２モールドを具体的に示す斜視図であり、図９は図７に示されたバックライト組立体の結合された断面を示す断面図である。本実施形態で、収納容器、第１モールド、電力印加部材及びランプは、図１ないし図６に示されたのと同一の構成を有するので、同一の図面符号を使用し、その重複した説明は省略する。
図７、図８及び図９に示すように、本発明の他の実施形態によるバックライト組立体６００は、収納容器２００、第１モールド３００、電力印加部材４００及びランプ５００を含む。また、バックライト組立体６００はランプ５００の末端部をカバーし、第１モールド３００と結合される第２モールド６１０をさらに含む。
【００２３】
第２モールド６１０は、ランプ５００の末端部、即ち、電力印加部材４００が配置された両側にそれぞれ設置される。第２モールド６１０は、収納容器２００の底部２１０に対して平行な上部面６２０及びこの上部面６２０から底部２１０の方向に傾くように延設される傾斜面６３０とを含む。第２モールド６１０は、実質的に光が発生しないランプ５００の外部電極５１０の領域をカバーすることで、輝度均一性を向上させる。一方、第２モールド６１０の上部面６２０には、上部に配置される拡散板７００の収納位置を提供するための端縁棚６２２が形成されることができる。
バックライト組立体６００は、第２モールド６１０によって支持され、ランプ５００の上部に配置される拡散板７００をさらに含む。拡散板７００は所定の厚さを有するプレート形状を有し、ランプ５００から入射する光を拡散させて、出射する光の輝度均一性を向上させる。
【００２４】
バックライト組立体６００は、拡散板７００の上部に配置される光学シート７１０をさらに含む。光学シート７１０は、拡散板７００を通じて拡散された光を集光させ、正面輝度を向上させるための集光シートからなるか、または、拡散板７００を通じて拡散された光をもう一度拡散させるための拡散シートからなる。一方、バックライト組立体６００は、要求される輝度特性によって光学シート７１０の追加または除去することが可能である。
バックライト組立体６００は、ランプ５００の下部に配置される反射板７２０をさらに含む。反射板７２０は収納容器２００の底部２１０上に固定され、ランプ５００から発生した光のうち下部に向かう光を拡散板７００方向に反射させる。
【００２５】
バックライト組立体６００は、収納容器２００の背面に配置され、ランプ５００の駆動のための駆動電圧を発生するインバータ７３０をさらに含む。インバータ７３０は、外部から印加される低電位の交流電圧をランプ５００の駆動のための高電位の駆動電圧に昇圧して出力する。インバータ７３０と電力印加部材４００は、第１及び第２電源線７３２、７３４を通じて連結される。インバータ７３０から出力される駆動電圧は、第１及び第２電源線７３２、７３４と電力印加部材４００を通じてランプ５００の外部電極５１０に印加される。
【００２６】
図９は図７に示された第２モールド、拡散板及び光学シートの他の実施形態を示す斜視図であり、図１０は図９に図示された第２モールドを具体的に示す斜視図である。
図９及び図１０に示すように、第２モールド６５０は上部面６６０及び傾斜面６７０を含む。第２モールド６５０は上部面６６０に形成され、上部面６６０から上部方向に突き出て拡散板６８０を固定する拡散板固定部６６２を含む。拡散板６８０には拡散板固定部６６２と結合される固定溝６８２が形成される。拡散板固定部６６２と固定溝６８２との結合によって、拡散板６８０は第２モールド６５０の上部に固定される。
【００２７】
第２モールド６５０は光学シート６９０を固定するためのシート固定部６６４をさらに含む。シート固定部６６４は上部方向に突き出た突起形状を有する。シート固定部６６４は第２モールド６５０の上部面６６０上にどこにでも形成することができるが、拡散板固定部６６２から突き出るように形成されることが望ましい。光学シート６９０は、シート固定部６６４に結合される挿入ホール６９２を有する。シート固定部６６４と挿入ホール６９２との結合によって、光学シート６９０は第２モールド６５０に固定される。
【００２８】
図１２は本発明の一実施形態による液晶表示装置を示す分解斜視図である。本実施形態で、バックライト組立体は、図１ないし図１０に示されたのと同一の構成を有するので、その重複する説明は省略する。
図１２に示すように、液晶表示装置８００は光を供給するためのバックライト組立体６００、映像を表示するための表示ユニット９００及び表示ユニット９００を固定するためのトップシャーシ９８０を含む。
【００２９】
表示ユニット９００は、映像を表示する液晶表示パネル９１０、液晶表示パネル９１０を駆動するための駆動信号を提供するデータ及びゲート印刷回路基板９２０、９３０を含む。データ及びゲート印刷回路基板９２０、９３０から提供される駆動信号は、データ用可撓性回路フィルム９４０及びゲート用可撓性回路フィルム９５０を通じて液晶表示パネル９１０に印加される。データ及びゲート用可撓性回路フィルム９４０、９５０は、テープキャリアパッケージＴＣＰまたはチップオンフィルムＣＯＦで構成される。また、データ及びゲート用可撓性回路フィルム９４０、９５０それぞれは、データ及びゲート印刷回路基板９２０、９３０から提供される駆動信号を適切なタイミングで液晶表示パネル９１０に印加するために、駆動信号を制御するデータ及びゲート駆動チップ９４２、９５２をさらに含む。
【００３０】
液晶表示パネル９１０は、薄膜トランジスタ（以下、ＴＦＴと称する）基板９１２、ＴＦＴ基板９１２と対向して結合されるカラーフィルター基板９１４及び前記２つの基板９１２、９１４の間に介在される液晶９１６を含む。
ＴＦＴ基板９１２はスイチング素子であるＴＦＴ（図示せず）が、マトリックス形態に形成された透明な硝子基板である。前記ＴＦＴのソース及びゲート端子にはそれぞれデータ及びゲートラインが連結され、ドレイン端子には透明な導電性材質からなる画素電極（図示せず）が連結される。
カラーフィルター基板９１４は、色画素であるＲＧＢ画素（図示せず）が薄膜工程によって形成された基板である。カラーフィルター基板９１４には透明な導電性材質からなる共通電極（図示せず）が形成される。
【００３１】
このような構成を有する液晶表示パネル９１０は、前記ＴＦＴのゲート端子に電力が印加されてＴＦＴがオンにされると、画素電極と共通電極との間には電界が形成される。このような電界によってＴＦＴ基板９１２とカラーフィルター基板９１４との間に介在した液晶９１６の配列が変化し、液晶９１６の配列変化によってバックライト組立体８００から供給される光の透過度が変更されて、所望する階調の映像を得るようになる。
【００３２】
トップシャーシ９８０は、液晶表示パネル９１０の端を取り囲み、収納容器２００に結合されて液晶表示パネル９１０をバックライト組立体８００の上部に固定する。このようなトップシャーシ９８０は、外部衝撃による液晶表示パネル９１０の破損を防止し、液晶表示パネル９１０がバックライト組立体８００から離脱することを防止する。
一方、液晶表示装置８００は、バックライト組立体６００と液晶表示パネル９１０との間に配置され、拡散板７００及び光学シート７１０を固定し、液晶表示パネル９１０の収納位置をガイドする第３モールド７５０をさらに含むことができる。
【００３３】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００３４】
【図１】本発明の一実施形態によるバックライト組立体を示す分解斜視図である。
【図２】図１に示された電力印加部材を具体的に示す斜視図である。
【図３】図１に示された第１モールドを具体的に示す斜視図である。
【図４】図１に示された第１モールドと電力印加部材との結合関係を示す斜視図である。
【図５】図４に示された斜視図の背面を示す平面図である。
【図６】図４のＩ−Ｉ’線に沿って切断した断面図である。
【図７】本発明の他の実施形態によるバックライト組立体を示す分解斜視図である。
【図８】図７に示された第２モールドを具体的に示す斜視図である。
【図９】図７に示されたバックライト組立体の結合された断面を示す断面図である。
【図１０】図７に示された第２モールド、拡散板及び光学シートの他の実施形態を示す分解斜視図である。
【図１１】図１０に示された第２モールドを具体的に示す斜視図である。
【図１２】本発明の一実施形態による液晶表示装置を示す分解斜視図である。
【符号の説明】
【００３５】
１００、６００      バックライト組立体
２００      収納容器
３００      第１モールド
３１０      結合部
３２０      側壁
３３０      第１結合面
３４０      第２結合面
３４２      第１開口部
３４４      固定部
３５０      第３結合面
３５２      第２開口部
３５４      突起
４００      電力印加部材
４１０      クリップ部
４２０      第１連結部
４３０      第２連結部
４４０      突出部
５００      ランプ
５１０      外部電極
６５０      第２モールド
７００      拡散板
７１０      光学シート
７２０      反射板
７３０      インバータ
９００      表示ユニット
９１０      液晶表示パネル
９８０      トップシャーシ
【図１】
2006066357.tif 000003
【図２】
2006066357.tif 000004
【図３】
2006066357.tif 000005
【図４】
2006066357.tif 000006
【図５】
2006066357.tif 000007
【図６】
2006066357.tif 000008
【図７】
2006066357.tif 000009
【図８】
2006066357.tif 000010
【図９】
2006066357.tif 000011
【図１０】
2006066357.tif 000012
【図１１】
2006066357.tif 000013
【図１２】
2006066357.tif 000014